(57)【特許請求の範囲】
【請求項１】
滑り止め部材が固定される硬質の基台と、
基材上に蓄光層を有して帯状に形成され、前記基台上に固定される蓄光ユニットとを有し、
前記基台は、水平片と垂下片とを備えた断面略Ｌ字形状に形成され、水平片の長手方向に沿って滑り止め部材と蓄光ユニットが並設され、
前記基材には帯状の基部の両側縁部からそれぞれ側壁が立ち上げて形成され、
前記蓄光層が前記側壁間に層状に埋設され、
前記蓄光ユニットの水平片への固定は、基材に形成される被係止部を水平片に形成された凹溝に形成される係止顎部に係止してなされ、
前記蓄光層の上面が、前記側壁の頂点と略同一の高さに形成されると共に、前記基台の水平片の上面とほぼ同一面をなすように形成される階段用滑り止め。
【請求項２】
前記滑り止め部材の上面の少なくとも一部が、前記基台の上面よりも上方に突出するように形成される請求項１記載の階段用滑り止め。
【請求項３】
少なくとも一方の前記側壁が前記基部の一側縁よりも内側に配置された請求項１または２記載の階段用滑り止め。
【請求項４】
前記蓄光層の幅をｄ’（ｍｍ）とし、
照明が消灯してから６０分間経過した場合における前記蓄光層の上面の平均輝度をＬ’（ｍｃｄ／ｍ2）としたときに、
Ｌ’≧２００／ｄ’
なる関係を満たす請求項１ないし３のいずれか１項に記載の階段用滑り止め。
【請求項５】
前記基材が硬質材料により形成され、
前記蓄光ユニットが前記基台から着脱可能に構成された請求項１ないし４のいずれか１項に記載の階段用滑り止め。
【発明の詳細な説明】
【技術分野】
【０００１】
本発明は階段用滑り止めに関するものである。
【背景技術】
【０００２】
蓄光部分を有する階段用滑り止めとして、従来、特許文献１に記載のものが知られている。この従来例において階段用滑り止めは、４つのリセス（帯状の凹み）を備えた金属の細長い基板を用意しておき、そのうちの１つの帯状の凹みに摩擦増強材料と混合された樹脂を含む粉末成分を、残り３つの帯状の凹みにフォトルミネッセント顔料と混合された樹脂を含む粉末成分をそれぞれ充填し、次いで、加熱して各粉末成分を溶融させ、この後、溶融したものを帯状の凹みの各々の中で層を形成するようにして硬化、付着させて製造される。
【０００３】
これにより階段用滑り止めにはフォトルミネッセントストリップの３つと、滑り止めストリップの１つが形成される。また、上述した帯状の凹みの各々の幅寸法に応じて、３つのフォトルミネッセントストリップはそれぞれが同じ幅寸法であってより狭い幅に、１つの滑り止めストリップはより広い幅に形成される。さらに、フォトルミネッセントストリップと滑り止めストリップとの間には、例えば一方の帯状の凹みから粉末成分がこぼれてしまったときに、他方の帯状の凹みの中に流れ込むことを防止するための溝が形成される。
【先行技術文献】
【特許文献】
【０００４】
【特許文献１】特表２００７-５０９７４２号公報
【発明の開示】
【発明が解決しようとする課題】
【０００５】
しかしながら、上述した従来例は製造効率が悪くなりやすいという欠点を有する。
【０００６】
すなわち、従来例は、異なる粉末成分同士、あるいはこれらが溶融したもの同士が誤って混合してしまうおそれのあるような状況で製造されるため、上述のように溝を設けるなど製造上においてこのような混合を防止しなければならなかったり、成分や分量が異なる粉末成分のいずれをも単一の基板上で適切に溶融等をさせなければならないなど、その製造管理が難しくなりやすい。
【０００７】
本発明は以上の欠点を解消すべくなされたものであって、製造効率を高めることができる階段用滑り止めの提供を目的とする。
【課題を解決するための手段】
【０００８】
本発明によれば上記目的は、
滑り止め部材１が固定される硬質の基台２と、
基材３上に蓄光層４を有して帯状に形成され、基台２上に固定される蓄光ユニット５とを有する階段用滑り止めを提供することにより達成される。
【０００９】
本発明によれば階段用滑り止めは、蓄光部分をユニット化した蓄光ユニット５を有し、該蓄光ユニット５を基台２上に固定することにより蓄光機能を備えるようにされる。上記基台２には、以上の蓄光ユニット５とは別にして滑り止め部材１が固定されており、蓄光ユニット５と滑り止め部材１を基台２に対して個別に固定することができる。
【００１０】
また、蓄光ユニット５は、蓄光層４を基材３上に有する構造にされ、このように基材３を備えることにより、基台２や滑り止め部材１とは別個に製造することも、取り扱うことも容易にされる。
【００１１】
したがって本発明によれば、蓄光ユニット５を基台２や滑り止め部材１とは別個に製造し、また、基台２に対して滑り止め部材１とは別個に固定することができるために、製造上の自由度を向上させることができ、製造効率を容易に高めることができる。
【００１２】
上記基台２は、上述した従来例のように帯状に形成することも、断面Ｌ字状に形成して階段の段鼻部に被せるようにすることも可能である。また、基台２を帯状に形成した上で、この基台２が固定される断面Ｌ字状の補助基台２を別途用意しておき、段鼻部に被せるように固定される補助基台２に対して基台２を固定することも可能である。基台２において滑り止め部材１や蓄光ユニット５を固定する部位には、上述した従来例のように凹溝などを設けて滑り止め部材１等の固定による段差の発生を抑えるなどすることが望ましい。以上の基台２は、金属以外に硬質材料であれば硬質の合成樹脂材などの適宜の素材により形成することが可能である。
【００１３】
また、滑り止め部材１は、例えば表面を凹凸にした帯形状近似のゴム等などで形成することが可能であるが、滑り止め効果や耐摩耗性、製造効率などを考慮して適宜の形状、材質、サイズを採用することができる。この滑り止め部材１の基台２への固定は、上述した従来例のように基台２上で滑り止め部材１の原料を溶融させた後に固化することによる以外に、完成品としての滑り止め部材１を予め用意しておいて接着剤やネジを用いたり、基台２に嵌合、係止させたり、あるいはこれらを複合的に組み合わせるなど固定強度や製造効率を考慮して適宜に決定することができる。
【００１４】
一方、蓄光ユニット５は、基材３上に蓄光層４を有して帯状に形成される。この蓄光層４は、階段の段鼻部での避難誘導表示機能を発揮できるように蓄光によって暗所でも視認できるものである必要があり、いわゆる高輝度のものにすることが望ましいが、単位面積当たりの輝度に対して所定の視認性を確保して相対的に決定される幅寸法Ｗを備えれば、面積を利用して所定の視認性、すなわち良好な視認性を確実に具備することが可能になる。このような単位面積当たりの輝度と幅寸法との適正な視認性に関する相対的な関係は、例えば、消防庁が蓄光式誘導標識等に関して示しているものを基準にして決めることができる（Ｌ’≧Ｌ×１００／ｄ’、Ｌ’は停電等により通常の照明が消灯してから６０分間経過した後における帯状の標示の表面における平均輝度［ｍｃｄ／ｍ２］、Ｌは２［ｍｃｄ／ｍ２］、ｄ’は当該表示の幅［ｍｍ］）。
【００１５】
上述した蓄光ユニット５は、後述する実施の形態に示すように、板状の金属等からなる硬質の基材３の上に、透明などの光透過性を備えた適宜の合成樹脂材に蓄光顔料を添加したものを層状に成形して形成することができるが、単に市場で流通している蓄光テープでも足り、この場合には、蓄光層４が上面側に形成されるフィルム状の適宜の合成樹脂材などにより基材３が構成される。また、蓄光層４は、例えば適宜の基材３の上に蓄光塗料を塗って形成することもできる。蓄光ユニット５の基台２への固定は、上述した滑り止め部材１同様、接着等適宜の手段によることができる。
【００１６】
また、蓄光ユニット５は、摩耗等したときに交換できるようにすることが望ましい。上述した蓄光テープも基台２から剥がすことによって交換が不可能ではないが、基材３を硬質材料で形成した場合には蓄光ユニット５の保形性が高まるため、基台２に対して強固に固定したり、固定後に取り外したりすることも容易にできるようになる。更に再貼合せの際、テープ単体よりも基材３により容易に施工が行う事が出来る。
【００１７】
さらに、上記基材３について、帯状の基部６の両側縁部から側壁７を立ち上げた形状にし、蓄光層４を側壁７、７間に埋設させれば、蓄光層４の摩耗等を抑制することができる。
【００１８】
以上の蓄光ユニット５は、
硬質の基材３上に蓄光層４を有して帯状に形成され、階段用滑り止めの基台２に着脱可能に固定するものとして、階段用滑り止めとは別個に構成することができる。
【発明の効果】
【００１９】
以上の説明から明らかなように、本発明によれば、階段用滑り止めの製造効率を高めて生産性を向上させることができる。
【図面の簡単な説明】
【００２０】
【図１】本発明に係る階段用滑り止めを示す分解斜視図である。
【図２】階段用滑り止めの階段への設置状態を示す図で、（ａ）は設置作業を説明する分解斜視図、（ｂ）は要部断面図である。
【図３】変形例を示す図で、（ａ）は第１の変形例を示す図、（ｂ）は第２の変形例を示す図である。
【発明を実施するための最良の形態】
【００２１】
図１および図２に本発明に係る階段用滑り止めＡを示す。この実施の形態において、階段用滑り止めＡは、階段の段鼻部１１に取り付けられる金台（基台２）と、この金台２に固定されるビニルタイヤ（滑り止め部材１）と、同じく金台２に固定される蓄光ユニット５とを有する。
【００２２】
上記金台２は、アルミニウムの押し出し成形品であり、所定断面形状の長尺材を設置場所に応じた長さ寸法に切断して形成される。この金台２は、階段の踏面１１ａに対応する水平片１２と、蹴上げ部１１ｂに対応する垂下片１３とを有し、水平片１２の一側縁部からほぼ直交方向に垂下片１３を延設して断面略Ｌ字形状に形成される。
【００２３】
上記水平片１２は、上述したビニルタイヤ１が固定される滑り止め嵌合凹溝１４と、蓄光ユニット５が固定されるユニット嵌合凹溝１５を有する。これら滑り止め嵌合凹溝１４およびユニット嵌合凹溝１５は、水平片１２の長手方向に沿って並設され、この実施の形態においては、垂下片１３に近接して滑り止め嵌合凹溝１４が、この滑り止め嵌合凹溝１４の垂下片１３に対する反対側に近接してユニット嵌合凹溝１５が形成される。また、上記ユニット嵌合凹溝１５よりもさらに垂下片１３から離れた部分、すなわち水平片１２における垂下片１３の反対側の側縁部は、端縁に行くに従って漸次厚さを薄くされて傾斜面１６にされる。
【００２４】
また、上記滑り止め嵌合凹溝１４およびユニット嵌合凹溝１５には、それぞれの開放端部において開放寸法を狭める方向に突出する係止顎部１７が形成される。この係止顎部１７は、この実施の形態においては図２（ｂ）に示すように、滑り止め嵌合凹溝１４およびユニット嵌合凹溝１５のそれぞれの垂下片１３側の側縁に形成される。上記ユニット嵌合凹溝１５は、さらにこの係止顎部１７に向き合うようにして、同様に開放端部において開放寸法を狭める方向に突出する補助顎部１８を備える。
【００２５】
加えて、上述した水平片１２は、滑り止め嵌合凹溝１４の垂下片１３側、すなわち係止顎部１７周辺における厚さが、滑り止め嵌合凹溝１４とユニット嵌合凹溝１５の間隙部分における厚さや、上述した傾斜面１６の最も厚い部分における厚さよりもやや厚く形成されるとともに、ユニット嵌合凹溝１５の底面が、滑り止め嵌合凹溝１４の底面よりもやや深い位置に形成される。
【００２６】
なお、図１等において１９は、図２（ａ）に示すように、皿ネジ２０を用いて踏面１１ａに金台２をネジ止めするときにおいて、そのネジ位置についての金台２の幅方向における目安を与えるためのネジ位置ガイドであり、水平片１２に線状の微小な溝を加工して形成される。また、２１は、滑り止めのための溝である。
【００２７】
一方、上記ビニルタイヤ１は、上述した滑り止め嵌合凹溝１４に嵌合可能に略帯状に形成され、その表面は滑り止め効果を高めるために凸凹に形成される。また、ビニルタイヤ１の一側縁部は上述した滑り止め嵌合凹溝１４の底面から係止顎部１７までの間の厚さ寸法程度にされ、すなわち係止顎部１７が係止可能な被係止部２２が形成される。
【００２８】
以上のビニルタイヤ１は、帯状のベース材２３上に滑り止め材２４を積層して形成される。上記ベース材２３はアルミニウム等の適宜の硬質材料からなる。また、上記滑り止め材２４は、ゴム等の適宜の滑りにくい材料により製せられるもので、帯状の基礎部２４ａの上面から凸部２４ｂを所定ピッチで膨出させて形成される。上記基礎部２４ａは、ベース材２３に重ねたときに上述した滑り止め嵌合凹溝１４内に埋設されるように、滑り止め嵌合凹溝１４の深さよりもベース材２３相当分やや薄い厚さに形成され、また、上述した水平片１２の厚さ変化に応じて、被係止部２２とは反対の他側縁部が鈍角に切り落とされる。さらに、基礎部２４ａの一側縁部は、上述した被係止部２２を形成するために薄肉にされる。ビニルタイヤ１は、以上の滑り止め材２４とベース材２３を個別に製造した後、両者を図示しない接着剤により接着するなどして形成される。
【００２９】
また、上記蓄光ユニット５は、上述したユニット嵌合凹溝１５に嵌合可能に略帯状に形成され、表面側において蓄光し、発光できるようにされる。この蓄光ユニット５の一側縁部には、上述したビニルタイヤ１同様、係止顎部１７に係止可能な被係止部２５が形成される。
【００３０】
以上の蓄光ユニット５は、基材３上に蓄光層４を積層して形成され、この蓄光層４は、この実施の形態においては、２液硬化型の合成樹脂材に対して高輝度の蓄光材料を半分以上などの高い割合で混合したものにより製せられる。この蓄光層４は、上述したように消防庁が蓄光式誘導標識等に関して示しているものを基準にした幅寸法Ｗにされ、階段照明による蓄光層４表面への照度が３０ルクスであるこの実施の形態においては、具体的には幅が１５ｍｍ（１５≧２×１００／１４）にされる。また、蓄光層４の厚さは、要求される輝度に応じて決定され、この実施の形態においては数ミリ程度にされる。
【００３１】
また、上記基材３は、基台２同様のアルミニウムの押し出し成型品であり、所定断面形状の長尺材を切断して形成される。また、基材３の蓄光層４の積層面は、白色に塗装され、蓄光層４の発光光を反射しやすくされる。
【００３２】
この基材３は、図２（ｂ）等に示すように、帯状の基部６の両側縁部から側壁７を立ち上げて形成され、内部に蓄光層収容凹部２６を備えた断面略コ字形状に形成される。また、一方の側壁７は基部６の一側縁よりもやや内側に配置され、これにより上述した被係止部２５が形成される。さらに基材３は、他方の側壁７についても同様に基部６の他側縁よりもやや内側に配置されるとともに、基部６の他側縁が、側面と下面との間を面取り状に切り欠かれ、これにより補助被係止部２７と切欠部２８が形成される。
【００３３】
以上の蓄光ユニット５は、基材３の蓄光層収容凹部２６に図示しない接着剤を介して蓄光層４をなす材料を固定して形成される。この固定状態において、蓄光層４は、その上面が側壁７、７の頂部と同じ程度の高さになるようにされる。また、基材３の基部６と側壁７、７のいずれにも蓄光層４を接着することにより、蓄光層４が基材３から容易に剥がれてしまうことがないようにされる。さらに、上述した蓄光層４および基材３は、同じ程度の熱膨張率を備えた材料により形成され、温度変化によってこれらを接着する接着剤が容易に剥離してしまうことが防止される。
【００３４】
以上の階段用滑り止めＡの施工作業を以下に説明する。施工に際しては、予め階段の幅に合わせて所定長に切断し、ネジ位置ガイド１９を基準にして図示しないネジ挿通孔を所定ピッチで穿孔した金台２を用意しておく。施工作業は、先ず、図２（ａ）に示すように、水平片１２を踏面１１ａに、垂下片１３を蹴上げ部１１ｂに合わせるようにして段鼻部１１に金台２を被せた後、皿ネジ２０により上記ネジ挿通孔を利用して段鼻部１１に金台２を取り付けることによりなされる。この取り付けに際しては、必要に応じて図示しない接着剤等も使用される。
【００３５】
次に、以上のようにして段鼻部１１に固定された金台２に対してビニルタイヤ１と蓄光ユニット５を固定する。この固定は、ビニルタイヤ１や蓄光ユニット５のそれぞれの被係止部２２、２５を金台２の係止顎部１７に係止させることによりなされ、固定作業は、被係止部２２等を先頭にした傾斜姿勢でビニルタイヤ１等を金台２の滑り止め嵌合凹溝１４等に差し込み、被係止部２２等の先端縁を係止顎部１７の先端縁に引っ掛けたら、そのまま係止顎部１７の下方に被係止部２２等を滑り込ませるようにしてビニルタイヤ１等を倒し込みながら滑り止め嵌合凹溝１４等の中に押し込むことによりなされる。また、蓄光ユニット５においては、この際、ユニット嵌合凹溝１５の開放端部の一側縁に切欠部２８を滑らせるようにしてなされる。
【００３６】
以上の固定作業に際しては、図２（ａ）および（ｂ）に示すように、予め滑り止め嵌合凹溝１４の底面に接着剤２９を塗布しておいたり、蓄光ユニット５の底面に両面粘着テープ３０を貼り付けておくことにより固定強度が高められる。また、ビニルタイヤ１等の滑り止め嵌合凹溝１４内への押し込みに際しては、ビニルタイヤ１等を幅方向に撓ませることによって滑り止め嵌合凹溝１４等に対する嵌合状態がより緊密になるようにされる。
【００３７】
固定作業が終了した状態で、ビニルタイヤ１等は滑り止め嵌合凹溝１４等に嵌合され、被係止部２２等が係止顎部１７に係止することで妄りに動くことがない。また、蓄光ユニット５においては、補助被係止部２７も補助顎部１８に係止することによってしっかりと固定される。
【００３８】
以上の固定状態において、階段用滑り止めＡは、水平片１２の上面からビニルタイヤ１の凸部２４ｂ、２４ｂ、・・が突出し、また、蓄光層４の上面が水平片１２の上面とほぼ同一面をなす。したがって階段の利用者は、靴裏で凸部２４ｂ、２４ｂ、・・を踏むことによって滑りにくくなり、また、靴裏が蓄光層４とは接触しにくくなる。さらに、通常時において階段が照明光で照明されることにより、停電時には蓄光層４が発光し、暗所においても階段を比較的安全に利用することができる。
【００３９】
さらに、ビニルタイヤ１や蓄光ユニット５が摩耗や長期の継続使用によって劣化したときには、交換することができる。交換作業は、ビニルタイヤ１等の下面と滑り止め嵌合凹溝１４等の底面との間に例えばマイナスドライバーの先端を差し入れるなどしてこれらの間に介在する接着剤２９や粘着テープ３０を引き剥がすようにして行うことができる。この際、滑り止め嵌合凹溝１４等の幅方向における係止顎部１７の反対方にマイナスドライバーを差し込むことにより、そのままマイナスドライバーを引き起こせばビニルタイヤ１等を傾斜姿勢に引き起こすことができ、上述した固定作業とは逆の手順により滑り止め嵌合凹溝１４等から取り外すことができる。
【００４０】
なお、上述した実施の形態においては、蓄光ユニット５に補助被係止部２７を形成するとともに、ユニット嵌合凹溝１５に補助顎部１８を形成する場合を示したが、固定作業性等を考慮して、これらを省略してビニルタイヤ１や滑り止め嵌合凹溝１４のように被係止部２５や係止顎部１７のみ設けるようにしても足りるし、反対に、ビニルタイヤ１や滑り止め嵌合凹溝１４に補助被係止部２７や補助顎部１８を形成して固定強度をより高めるようにすることも可能である。
【００４１】
図３（ａ）に本発明の第１の変形例を示す。なお、この変形例、および後述する変形例において、上述した実施の形態と同一の構成要素は図中に同一の符号を付して説明を省略する。この変形例は、金台２の素材としてより強度の高いステンレスを用いた場合を示すもので、金台２は、ステンレスの板材をフォーミング加工機により折り曲げ加工して製せられる。
【００４２】
垂下片１３は、水平片１２の一側縁から直交方向に折り曲げられて形成され、下端で折り返された後、さらに水平片１２に沿って折曲されて被係止部２２が形成される。水平片１２は、垂下片１３とは反対側の他側縁を折り返され、垂下片１３の反対方に補助顎部１８が形成される。また、水平片１２は幅方向中間部で上方に引き起こされてから折り返され、すなわち山折りされて、滑り止め嵌合凹溝１４とユニット嵌合凹溝１５が区画されて形成される。この山折りの頂部は、補助顎部１８の頂部と同じ程度の高さにされる。
【００４３】
また、この変形例において、階段の踏面１１ａには仕上げ材としてのプラスチックタイル３１（Ｐタイル）が敷設される。上述した水平片１２は、側縁の折り返し部分がプラスチックタイル３１の端面に突き当てられ、プラスチックタイル３１上面と側縁の折り返し部分の上面とが同一平面上に位置するようにされる。
【００４４】
したがってこの変形例において、ユニット嵌合凹溝１５は被係止部２５を有さず、蓄光ユニット５は補助被係止部２７を補助顎部１８に係止させて金台２に固定されるが、階段利用者の靴裏はプラスチックタイル３１を踏むことによって蓄光ユニット５表面にあまり接触することはない。
【００４５】
図３（ｂ）に第２の変形例を示す。この変形例は、蓄光ユニット５をビニルタイヤ１よりも段鼻部１１寄り、すなわち蹴上げ部１１ｂ寄りに配置したもので、金台２の水平片１２には、ユニット嵌合凹溝１５が滑り止め嵌合凹溝１４よりも垂下片１３側に形成される。
【００４６】
また、蓄光ユニット５の基材３は、基部６の両側縁から側壁７を立設させて形成され、被係止部２５および補助被係止部２７が省略される。この蓄光ユニット５は、図示しない接着剤によってユニット嵌合凹溝１５に固定される。
【００４７】
したがってこの変形例においては、段鼻部１１寄りに配置された蓄光ユニット５によって、停電時に段鼻部１１の位置をより正確に把握することができる。
【符号の説明】
【００４８】
１  滑り止め部材
２  基台
３  基材
４  蓄光層
５  蓄光ユニット
６  基部
７  側壁
Ｗ  幅寸法
【図１】
0005827004.tif 000002
【図２】
0005827004.tif 000003
【図３】
0005827004.tif 000004